(57)【要約】【課題】交換した無線装置の設定を自動的に行うこと。【解決手段】第１通信装置１１０は、第１記憶部１１１と、設定部１１２と、通信部１１３と、を備える。第１記憶部１１１には、所定の初期値が記憶されている。設定部１１２は、第１記憶部１１１に記憶された初期値を、第１通信装置１１０へ入力された設定情報に書き換える。通信部１１３は、第１記憶部１１１に記憶された設定情報に基づいて、第２通信装置１２０と無線による通信を行うとともに、第１記憶部１１１に記憶された設定情報を第２通信装置１２０へ送信して第２記憶部１２２に記憶させる。【選択図】図１−２
2014143500.tif 000002
【特許請求の範囲】
【請求項１】
第１通信装置が、
自装置の第１記憶部に記憶された設定情報に基づいて第２通信装置と通信を行い、
前記設定情報を前記第２通信装置へ送信し、
前記第２通信装置が、
前記第１通信装置によって送信された設定情報を第２記憶部に記憶し、
前記第１通信装置の装置を交換した後の前記第１通信装置が、
前記第２記憶部に記憶された設定情報を前記第２通信装置から受信し、
受信した前記設定情報を前記交換後の前記第１通信装置の前記第１記憶部に記憶する、
ことを特徴とする設定方法。
【請求項２】
第１通信装置は、
前記第１記憶部に記憶された初期値を、自装置へ入力された設定情報に書き換え、
自装置の起動時に前記第１記憶部に前記初期値が記憶されていた場合に、前記第２記憶部に記憶された設定情報を前記第２通信装置から受信し、
前記第１記憶部に記憶された前記初期値を、受信した前記設定情報に書き換える、
ことを特徴とする請求項１に記載の設定方法。
【請求項３】
前記第１通信装置は、前記第２通信装置と異なる第３通信装置に接続され、前記第１記憶部に記憶された設定情報に基づいて前記第２通信装置および前記第３通信装置と通信を行い、
前記第２通信装置は、前記第１通信装置と異なる第４通信装置に接続され、前記第１通信装置および前記第４通信装置と通信を行い、
前記第１通信装置は、自装置の起動時に前記第１記憶部に前記初期値が記憶されていた場合に、前記初期値に基づくアドレスを自装置に設定して前記第２通信装置へ要求信号を送信し、
前記第２通信装置は、前記第１通信装置によって送信された要求信号を受信すると、前記初期値に基づくアドレスが設定された前記第１通信装置と通信可能なアドレスを自装置に設定し、前記第２記憶部に記憶された設定情報を前記第１通信装置へ送信する、
ことを特徴とする請求項２に記載の設定方法。
【請求項４】
前記第１通信装置は、前記初期値に基づくアドレスを自装置に設定する場合に前記第３通信装置との通信経路を切断することを特徴とする請求項３に記載の設定方法。
【請求項５】
自装置の第１記憶部に記憶された設定情報に基づいて第２通信装置と通信を行い、前記設定情報を前記第２通信装置へ送信する第１通信装置と、
前記第１通信装置によって送信された設定情報を第２記憶部に記憶する第２通信装置と、
を含み、前記第１通信装置の装置を交換した後の前記第１通信装置は、前記第２記憶部に記憶された設定情報を前記第２通信装置から受信し、受信した前記設定情報を前記交換後の前記第１通信装置の前記第１記憶部に記憶する、
ことを特徴とする通信システム。
【請求項６】
第１記憶部と、
前記第１記憶部に設定情報を設定する設定部と、
前記第１記憶部に記憶された設定情報に基づいて、所定の通信装置と無線による通信を行うとともに、前記設定情報を前記所定の通信装置へ送信して第２記憶部に記憶させる通信部と、
を備え、
自装置の装置を交換した場合に、
交換後の前記通信部は、前記第２記憶部に記憶された設定情報を前記所定の通信装置から受信し、
交換後の前記設定部は、前記通信部によって受信された設定情報を、前記交換後の前記第１記憶部に記憶する、
ことを特徴とする通信装置。
【発明の詳細な説明】
【技術分野】
【０００１】
本発明は、設定方法、通信システムおよび通信装置に関する。
【背景技術】
【０００２】
従来、無線ネットワークとの接続を開始する前の段階で、無線中継機のＭＡＣ（Ｍｅｄｉａ  Ａｃｃｅｓｓ  Ｃｏｎｔｒｏｌ：メディアアクセス制御）アドレスを機器アドレスとして初期設定する技術が知られている（たとえば、下記特許文献１参照。）。
【０００３】
また、多重無線装置は、たとえば、屋内に設置する装置（ＩＤＵ：Ｉｎ  Ｄｏｏｒ  Ｕｎｉｔ）と屋外に設置する装置（ＯＤＵ：Ｏｕｔ  Ｄｏｏｒ  Ｕｎｉｔ）とによって構成されていた。ＩＤＵおよびＯＤＵによる構成では、たとえば、多重無線装置の処理設定情報であるプロビジョニングデータの書き込みが、ＩＤＵのポートにＰＣ（Ｐｅｒｓｏｎａｌ  Ｃｏｍｐｕｔｅｒ）を接続することによって行われる。このため、故障等で装置交換を行う際のプロビジョニングデータの再書き込みは屋内で実施可能である。
【０００４】
一方、多重無線装置の利用形態の変化により、設置が簡単な、ＩＤＵの機能を包含したＯＤＵのみで構成された多重無線装置が求められている。
【先行技術文献】
【特許文献】
【０００５】
【特許文献１】特開２０１２−１０１４０号公報
【発明の概要】
【発明が解決しようとする課題】
【０００６】
しかしながら、上述した従来技術では、無線装置の故障等により無線装置を交換した場合に、交換した無線装置のネットワーク設定を自動的に行うことができない。このため、たとえば無線装置が屋外に設置されていると、交換した無線装置のネットワーク設定が困難である。
【０００７】
本発明は、上述した従来技術による問題点を解消するため、交換した無線装置の設定を自動的に行うことができる設定方法、通信システムおよび通信装置を提供することを目的とする。
【課題を解決するための手段】
【０００８】
上述した課題を解決し、目的を達成するため、本発明の一側面によれば、第１通信装置が、自装置の第１記憶部に記憶された設定情報に基づいて第２通信装置と通信を行い、前記設定情報を前記第２通信装置へ送信し、前記第２通信装置が、前記第１通信装置によって送信された設定情報を第２記憶部に記憶し、前記第１通信装置の装置を交換した後の前記第１通信装置が、前記第２記憶部に記憶された設定情報を前記第２通信装置から受信し、受信した前記設定情報を前記交換後の前記第１通信装置の前記第１記憶部に記憶する設定方法、通信システムおよび通信装置が提案される。
【発明の効果】
【０００９】
本発明の一側面によれば、交換した無線装置の設定を自動的に行うことができる。
【図面の簡単な説明】
【００１０】
【図１−１】実施の形態にかかる通信システムの一例を示す図である。
【図１−２】図１−１に示した実施の形態にかかる通信システムにおける信号の流れの一例を示す図である。
【図２−１】通信システムの適用例を示す図である。
【図２−２】通常運用時における通信システムの状態の一例を示す図である。
【図２−３】装置故障時における通信システムの状態の一例を示す図である。
【図２−４】装置交換時における通信システムの状態の一例を示す図である。
【図２−５】ネットワークパラメータ統一時における通信システムの状態の一例を示す図である。
【図２−６】ライン側ポート切断時における通信システムの状態の一例を示す図である。
【図２−７】ライン側ポートの切断を行わない場合のアドレスの衝突の一例を参考として示す図である。
【図２−８】ライン側ポートの切断を行わない場合のアドレスの衝突の他の例を参考として示す図である。
【図３】プロビジョニングデータの一例を示す図である。
【図４−１】無線装置の構成の一例を示す図である。
【図４−２】図４−１に示した無線装置における信号の流れの一例を示す図である。
【図４−３】無線装置のハードウェア構成の一例を示す図である。
【図５】無線装置の処理の一例を示すフローチャートである。
【図６】図５に示した装置起動時フローの一例を示すフローチャートである。
【図７】図５に示したプロビジョニングデータ同期（送信）フローの一例を示すフローチャートである。
【図８】図５に示したプロビジョニングデータ同期（受信）フローの一例を示すフローチャートである。
【図９】図５に示したプロビジョニングデータ送信フローの一例を示すフローチャートである。
【図１０】通信システムによるプロビジョニングデータの受け渡し処理の一例を示すシーケンス図である。
【図１１】通信システムによる設定処理の一例を示すシーケンス図（その１）である。
【図１２】通信システムによる設定処理の一例を示すシーケンス図（その２）である。
【図１３】通信システムによる異常時の処理例１を示すシーケンス図である。
【図１４】通信システムによる異常時の処理例２を示すシーケンス図である。
【発明を実施するための形態】
【００１１】
以下に、本発明にかかる設定方法、通信システムおよび通信装置の実施の形態を詳細に説明する。
【００１２】
（実施の形態）
（実施の形態にかかる通信システム）
図１−１は、実施の形態にかかる通信システムの一例を示す図である。図１−２は、図１−１に示した実施の形態にかかる通信システムにおける信号の流れの一例を示す図である。図１−１，図１−２に示すように、実施の形態にかかる通信システム１００は、第１通信装置１１０と、第２通信装置１２０と、第３通信装置１０１と、第４通信装置１０２と、を含む。
【００１３】
第１通信装置１１０および第２通信装置１２０は、互いに無線通信を行う。また、第１通信装置１１０は第３通信装置１０１に接続されている。第３通信装置１０１は、たとえば、ネットワークを構成する機器で第１通信装置１１０に接続された通信装置である。第２通信装置１２０は第４通信装置１０２に接続されている。第４通信装置１０２は、ネットワークに含まれ第２通信装置１２０に接続された通信装置でもよい。
【００１４】
＜第１通信装置１１０＞
第１通信装置１１０は、第１記憶部１１１と、設定部１１２と、通信部１１３と、を備えている。第１記憶部１１１には、初期状態（たとえば工場出荷時）においては所定の初期値が記憶されている。
【００１５】
設定部１１２は、第１通信装置１１０（自装置）へ設定情報が入力された場合に、第１記憶部１１１に記憶された初期値を、入力された設定情報に書き換える。第１通信装置１１０への設定情報の入力は、たとえば、第１通信装置１１０に接続されたＰＣからの入力等、第１通信装置１１０のユーザによる入力である。設定情報は、第１通信装置１１０のネットワーク設定に用いる情報である。たとえば、設定情報は、通信システム１００の通信における第１通信装置１１０のアドレスを含むプロビジョニングデータである。
【００１６】
通信部１１３は、第１記憶部１１１に記憶された設定情報に基づいて、第２通信装置１２０と無線による通信を行う。また、通信部１１３は、第１記憶部１１１に記憶された設定情報を第２通信装置１２０へ送信する。
【００１７】
また、通信部１１３は、第１記憶部１１１に記憶された設定情報に基づいて、第３通信装置１０１との間で有線による通信を行う。ただし、通信部１１３による第３通信装置１０１との通信は無線による通信であってもよい。
【００１８】
また、通信部１１３は、第１通信装置１１０の起動時に、第１記憶部１１１に初期値が記憶されているか否かを判断する。初期値ではなく設定部１１２に設定された設定情報が第１記憶部１１１に記憶されていた場合は、通信部１１３は、第１記憶部１１１に記憶された設定情報を用いて第２通信装置１２０および第３通信装置１０１との通信を行う。
【００１９】
また、第１記憶部１１１に初期値が記憶されていた場合は、通信部１１３は、第２通信装置１２０の第２記憶部１２２に記憶された設定情報を第２通信装置１２０から受信する。たとえば、通信部１１３は、第２通信装置１２０に対して要求信号を送信することによって設定情報を第２通信装置１２０から受信する。たとえば、通信部１１３は、第１記憶部１１１に記憶された初期値に基づくアドレスを自装置に設定して第２通信装置１２０へ要求信号を送信する。
【００２０】
通信部１１３が第２通信装置１２０から設定情報を受信すると、設定部１１２は、第１記憶部１１１に記憶された初期値を、通信部１１３によって受信された設定情報に書き換える。通信部１１３は、設定部１１２によって書き換えられた第１記憶部１１１の設定情報に基づいて第２通信装置１２０および第３通信装置１０１と通信を行う。
【００２１】
＜第２通信装置１２０＞
第２通信装置１２０は、通信部１２１と、第２記憶部１２２と、を備えている。通信部１２１は、第１通信装置１１０と無線による通信を行う。また、通信部１２１は、第１通信装置１１０の設定情報を第１通信装置１１０から受信する。通信部１２１は、受信した設定情報を第２記憶部１２２に記憶させる。
【００２２】
また、通信部１２１は、第４通信装置１０２との間で有線による通信を行う。ただし、通信部１２１による第４通信装置１０２との通信は無線による通信であってもよい。また、通信部１２１は、第１通信装置１１０から設定情報の要求情報を受信すると、第２記憶部１２２に記憶された第１通信装置１１０の設定情報を第１通信装置１１０へ送信する。
【００２３】
これにより、第１通信装置１１０の装置交換が行われた場合に、交換後の第１通信装置１１０は、交換前の第１通信装置１１０が第２通信装置１２０へ送信した設定情報を、第２通信装置１２０から受信して自装置に設定することができる。このため、第１通信装置１１０の交換時のネットワーク設定を自動的に行うことができる。
【００２４】
したがって、第１通信装置１１０の交換時の作業量を低減することができる。このため、たとえば第１通信装置１１０が鉄塔上等の作業困難な場所に設置されていても、高所での作業時間の低減や、作業ミスによるＰＣの落下等の危険の低減を図ることができる。
【００２５】
また、交換後の第１通信装置１１０の第１記憶部１１１に記憶された初期値に基づくアドレスが、第３通信装置１０１などと通信できない暫定的なアドレスであり、ＩＰ（Ｉｎｔｅｒｎｅｔ  Ｐｒｏｔｏｃｏｌ）ネットワーク経由等で遠隔操作ができない場合もある。この場合も、第１通信装置１１０と第２通信装置１２０との通信のみで、第１通信装置１１０に対して通信可能な設定情報を書き込むことができる。
【００２６】
＜アドレス衝突の回避＞
通信部１１３は、第１記憶部１１１に記憶された初期値に基づくアドレスを自装置に設定する場合に、第３通信装置１０１との通信経路を切断してもよい。これにより、初期値に基づいて設定した第１通信装置１１０のアドレスが、第３通信装置１０１や、第３通信装置１０１に接続された他の通信装置のアドレスと衝突することを回避することができる。また、第２通信装置１２０のアドレスが、第３通信装置１０１や、第３通信装置１０１に接続された他の通信装置のアドレスと衝突することを回避することができる。
【００２７】
また、通信部１１３は、第１記憶部１１１に記憶された初期値を受信した設定情報に書き換えた後に、第１記憶部１１１に記憶された設定情報に基づくアドレスを自装置に設定し、第３通信装置１０１との通信経路を接続する。これにより、第３通信装置１０１や、第３通信装置１０１に接続された他の通信装置のアドレスと衝突しないアドレスを自装置に設定した後に、第３通信装置１０１との通信を開始することができる。
【００２８】
また、通信部１２１は、第１通信装置１１０の初期値に基づくアドレスが設定された第１通信装置１１０と通信可能なアドレスを自装置に設定する場合に、第４通信装置１０２との通信経路を切断してもよい。これにより、第１通信装置１１０の初期値に基づくアドレスに対応して設定した第２通信装置１２０のアドレスが、第４通信装置１０２や、第４通信装置１０２に接続された他の通信装置のアドレスと衝突することを回避することができる。また、第１通信装置１１０のアドレスが、第４通信装置１０２や、第４通信装置１０２に接続された他の通信装置のアドレスと衝突することを回避することができる。
【００２９】
また、通信部１２１は、第４通信装置１０２との通信経路を切断して設定情報を送信した後に、第４通信装置１０２と通信可能なアドレスを自装置に設定し、第４通信装置１０２との通信経路を接続する。これにより、第４通信装置１０２や、第４通信装置１０２に接続された他の通信装置のアドレスと衝突しないアドレスを自装置に設定した後に、第４通信装置１０２との通信を開始することができる。
【００３０】
（通信システムの適用例）
図２−１は、通信システムの適用例を示す図である。図１−１，図１−２に示した通信システム１００は、たとえば図２−１〜図２−８に示す通信システム２００に適用することができる。図２−１に示すように、通信システム２００は、無線装置２１１（＃Ａ）と、無線装置２２１（＃Ｂ）と、を含む。
【００３１】
無線装置２１１は、ネットワーク２１２（ＮＥＴＷＯＲＫ）を介して他のネットワーク装置（ＮＥ：Ｎｅｔｗｏｒｋ  Ｅｌｅｍｅｎｔ）等に接続されている。無線装置２２１は、ネットワーク２２２（ＮＥＴＷＯＲＫ）を介して他のＮＥ等に接続されている。
【００３２】
図１−１，図１−２に示した第１通信装置１１０は、たとえば図２−１では無線装置２１１に対応する。図１−１，図１−２に示した第２通信装置１２０は、たとえば図２−１では無線装置２２１に対応する。図１−１，図１−２に示した第３通信装置１０１は、たとえば図２−１ではネットワーク２１２を構成する装置（図示せず）、第４通信装置１０２は、たとえば、ネットワーク２２２を構成する装置（図示せず）である。
【００３３】
無線装置２１１および無線装置２２１は、互いに無線通信が可能な無線回線を形成する。たとえば、無線装置２１１および無線装置２２１は、多重無線によって互いに通信を行う。
【００３４】
無線装置２１１は、自ＯＤＵに設定されたプロビジョニングデータ（＃Ａ）を記憶している。そして、無線装置２１１は、無線装置２１１の起動時にプロビジョニングデータ（＃Ａ）を用いてネットワーク設定を行い、ネットワーク２１２および無線装置２２１との間の通信を行う。
【００３５】
無線装置２２１は、自ＯＤＵに設定されたプロビジョニングデータ（＃Ｂ）を記憶している。そして、無線装置２２１は、無線装置２２１の起動時にプロビジョニングデータ（＃Ｂ）を用いてネットワーク設定を行い、ネットワーク２２２および無線装置２１１との間の通信を行う。
【００３６】
図２−１に示す状態においては、無線装置２１１にはネットワークパラメータ「１０．ＸＸＸ．ＸＸＸ．ＸＸ１」が設定され、無線装置２２１にはネットワークパラメータ「１０．ＸＸＸ．ＸＸＸ．ＸＸ２」が設定されている。ネットワークパラメータは、たとえばＩＰアドレスである。
【００３７】
図２−２は、通常運用時における通信システムの状態の一例を示す図である。図２−２において、図２−１に示した部分と同様の部分については同一の符号を付して説明を省略する。図２−２に示すように、無線装置２１１は、通信システム２００の通常運用時に自ＯＤＵのプロビジョニングデータ（＃Ａ）を無線装置２２１へ送信する。無線装置２２１は、無線装置２１１から送信されたプロビジョニングデータ（＃Ａ）を記憶（バックアップ）する。
【００３８】
また、無線装置２２１は、通常運用時に自ＯＤＵのプロビジョニングデータ（＃Ｂ）を無線装置２１１へ送信する。無線装置２１１は、無線装置２２１から送信されたプロビジョニングデータ（＃Ｂ）を記憶（バックアップ）する。
【００３９】
したがって、無線装置２１１および無線装置２２１のそれぞれは、プロビジョニングデータ（＃Ａ）およびプロビジョニングデータ（＃Ｂ）の両方を記憶する。プロビジョニングデータの送信は、たとえば、無線装置２１１および無線装置２２１の間の無線回線における監視制御回線（たとえばＩＰネットワーク）を用いて行うことができる。
【００４０】
図２−３は、装置故障時における通信システムの状態の一例を示す図である。図２−３において、図２−２に示した部分と同様の部分については同一の符号を付して説明を省略する。図２−３の符号２３１に示すように、無線装置２１１が故障したとする。そして、たとえば管理者により、無線装置２１１が、新しい無線装置２１１に交換されたとする。
【００４１】
図２−４は、装置交換時における通信システムの状態の一例を示す図である。図２−４において、図２−３に示した部分と同様の部分については同一の符号を付して説明を省略する。図２−４に示すように、交換後の無線装置２１１のプロビジョニングデータは、工場出荷デフォルトのプロビジョニングデータになっている。
【００４２】
このとき、無線装置２１１と無線装置２２１との間のＩＰネットワークは確立されていない。このため、無線装置２１１と無線装置２２１との間では、無線のオーバーヘッドを利用したインバンド通信のみが可能である。
【００４３】
また、図２−４に示す状態においては、無線装置２１１には、工場出荷デフォルトプロビジョニングデータに基づくネットワークパラメータ「１９２．１６８．ＸＸＸ．ＸＸ１」が設定されている。
【００４４】
図２−５は、ネットワークパラメータ統一時における通信システムの状態の一例を示す図である。図２−５において、図２−４に示した部分と同様の部分については同一の符号を付して説明を省略する。図２−５に示すように、無線装置２２１は、ネットワークパラメータを一時的にプロビジョニングデータ設定用のネットワークパラメータ「１９２．１６８．ＸＸＸ．ＸＸ２」に変更することにより、無線装置２１１と無線装置２２１との間のネットワークを確立する。
【００４５】
図２−６は、ライン側ポート切断時における通信システムの状態の一例を示す図である。図２−６において、図２−５に示した部分と同様の部分については同一の符号を付して説明を省略する。図２−６の符号２６１に示すように、無線装置２１１は、ネットワーク２１２とのライン側ポートの切断を行う。これにより、無線装置２１１は、ネットワーク２１２に接続された他のＮＥ等から切り離される。
【００４６】
また、符号２６２に示すように、無線装置２２１は、ネットワーク２２２とのライン側ポートの切断を行う。これにより、無線装置２２１は、ネットワーク２２２に接続された他のＮＥ等から切り離される。
【００４７】
この状態で、無線装置２２１は、無線装置２１１との間で確立したネットワークを用いて、記憶していたプロビジョニングデータ（＃Ａ）およびプロビジョニングデータ（＃Ｂ）を無線装置２１１へ送信する。無線装置２１１は、無線装置２２１から受信したプロビジョニングデータ（＃Ａ）およびプロビジョニングデータ（＃Ｂ）を記憶する。
【００４８】
そして、無線装置２１１，２２１は、自律的に通常のプロビジョニング状態である図２−２の状態に戻り、運用を開始する。これにより、交換した無線装置２１１について、たとえばＰＣ等を無線装置２１１に接続してプロビジョニングデータの書き込み作業を行わなくても、無線装置２１１のプロビジョニングデータを設定することができる。
【００４９】
（ライン側ポートの切断を行わない場合のアドレスの衝突）
図２−７は、ライン側ポートの切断を行わない場合のアドレスの衝突の一例を参考として示す図である。図２−７において、図２−６に示した部分と同様の部分については同一の符号を付して説明を省略する。図２−７に示すように、ネットワーク２１２に接続された他のＮＥ等のアドレスが「１９２．１６８．ＸＸＸ．ＸＸ１」であったとする。
【００５０】
この場合は、仮に無線装置２１１によるライン側ポートの切断（図２−６参照）を行わなかった場合は、ネットワーク２１２に接続された他のＮＥ等と、無線装置２１１と、の間でアドレスの衝突が発生する。
【００５１】
図２−８は、ライン側ポートの切断を行わない場合のアドレスの衝突の他の例を参考として示す図である。図２−８において、図２−７に示した部分と同様の部分については同一の符号を付して説明を省略する。図２−８に示すように、ネットワーク２２２に接続された他のＮＥ等のアドレスが「１９２．１６８．ＸＸＸ．ＸＸ１」であったとする。
【００５２】
この場合は、仮に無線装置２２１によるライン側ポートの切断（図２−６参照）を行わなかった場合は、ネットワーク２２２に接続された他のＮＥ等と、無線装置２２１と、の間でアドレスの衝突が発生する。
【００５３】
図２−７，図２−８に示したように、無線装置２１１，２２１においてそれぞれネットワーク２１２，２２２とのライン側ポートの切断を行わなかった場合は、無線装置２１１，２２１と他のＮＥ等との間でアドレスの衝突が発生しうる。これに対して、無線装置２１１および無線装置２２１は、それぞれ無線装置２１１，２２１とのライン側ポートの切断を行う（図２−６参照）。これにより、アドレスの衝突を回避することができる。
【００５４】
（プロビジョニングデータ）
図３は、プロビジョニングデータの一例を示す図である。図３においては無線装置２１１のプロビジョニングデータ（＃Ａ）について説明するが、無線装置２２１のプロビジョニングデータ（＃Ｂ）についても同様である。
【００５５】
図３に示すプロビジョニングデータ３００は、無線装置２１１のプロビジョニングデータ（＃Ａ）である。プロビジョニングデータ３００には、「ＩＰアドレス」と、「ネットマスク」と、「デフォルトゲートウェイ」と、「回線速度」と、「ＭＤＩ／ＭＤＩ−Ｘ」と、「フロー制御」と、が含まれている。
【００５６】
「ＩＰアドレス」は、無線装置２１１が通信システム２００において用いるネットワークパラメータである。「ネットマスク」は、「ＩＰアドレス」からネットワークアドレスを抽出するためのマスク値である。「デフォルトゲートウェイ」は、無線装置２１１のデフォルトの送信先となるゲートウェイのＩＰアドレスである。
【００５７】
「回線速度」は、回線の通信速度を示す。「ＭＤＩ／ＭＤＩ−Ｘ」は、ポートの種別（ＭＤＩまたはＭＤＩ−Ｘ）を示す。また、「ＭＤＩ／ＭＤＩ−Ｘ」が「Ａｕｔｏ」である場合は、ポートの種別を自動的に判定することを示している。「フロー制御」は、フロー制御の有無を示す。
【００５８】
このように、プロビジョニングデータ３００は、たとえばＩＰアドレスやポート設定などのネットワーク設定に用いる情報を含む。
【００５９】
（無線装置の構成）
図４−１は、無線装置の構成の一例を示す図である。図４−２は、図４−１に示した無線装置における信号の流れの一例を示す図である。図２−１〜図２−８に示した無線装置２１１および無線装置２２１のそれぞれは、たとえば図４−１，図４−２に示す無線装置４１０によって実現することができる。
【００６０】
無線装置４１０は、インターフェース部４１１と、無線部４１２と、スイッチ部４１３と、オーバーヘッド挿入／分離部４１４と、監視制御部４１５と、プロビジョニングデータ記憶部４１６と、を備える。
【００６１】
インターフェース部４１１は、無線装置４１０と他のネットワーク（たとえばネットワーク２１２，２２２）との有線通信を行うインターフェースである。たとえば、インターフェース部４１１は、ネットワークからの受信信号（ＮＥＴＷＯＲＫ側受信信号）をスイッチ部４１３へ出力する。また、インターフェース部４１１は、スイッチ部４１３から出力された送信信号（ＮＥＴＷＯＲＫ側送信信号）を他のネットワークへ送信する。
【００６２】
無線部４１２は、無線装置４１０と対向無線装置との間で無線通信を行う。たとえば、無線部４１２は、対向無線装置からの受信信号（オーバーヘッド付加無線側受信信号）をオーバーヘッド挿入／分離部４１４へ出力する。また、無線部４１２は、オーバーヘッド挿入／分離部４１４から出力された送信信号（オーバーヘッド付加無線側送信信号）を対向無線装置へ無線送信する。
【００６３】
スイッチ部４１３は、監視制御部４１５からのスイッチ制御情報に基づいて、主信号と制御信号の切り分けを行うスイッチである。たとえば、スイッチ部４１３は、インターフェース部４１１から出力された信号のうちの無線部４１２によって無線送信すべき信号（無線側送信信号）をオーバーヘッド挿入／分離部４１４へ出力する。また、スイッチ部４１３は、オーバーヘッド挿入／分離部４１４から出力された信号のうちのインターフェース部４１１によって送信すべき信号（ＮＥＴＷＯＲＫ側送信信号）をインターフェース部４１１へ出力する。
【００６４】
また、スイッチ部４１３は、インターフェース部４１１またはオーバーヘッド挿入／分離部４１４から出力された信号のうちの無線装置４１０への制御信号（ＮＥＴＷＯＲＫ／無線からの通信）を監視制御部４１５へ出力する。
【００６５】
オーバーヘッド挿入／分離部４１４は、無線部４１２から出力された受信信号（オーバーヘッド付加無線側受信信号）からオーバーヘッドを分離し、分離したオーバーヘッド（受信オーバーヘッド）を監視制御部４１５へ出力する。また、オーバーヘッド挿入／分離部４１４は、オーバーヘッドを分離した受信信号（無線側受信信号）をスイッチ部４１３へ出力する。
【００６６】
また、オーバーヘッド挿入／分離部４１４は、スイッチ部４１３から出力された送信信号（無線側送信信号）に、監視制御部４１５から出力されたオーバーヘッド（送信オーバーヘッド）を挿入する。そして、オーバーヘッド挿入／分離部４１４は、オーバーヘッドを挿入した送信信号（オーバーヘッド付加無線側送信信号）を無線部４１２へ出力する。
【００６７】
監視制御部４１５は、スイッチ部４１３およびオーバーヘッド挿入／分離部４１４の制御や無線装置４１０の全体の監視を行う。また、監視制御部４１５は、プロビジョニングデータ記憶部４１６へのプロビジョニングデータのバックアップおよびプロビジョニングデータ記憶部４１６からのプロビジョニングデータの読み出しを行う。監視制御部４１５の詳細な処理については後述する。
【００６８】
また、監視制御部４１５は、無線装置４１０に接続されたＰＣ等を介して入力されたプロビジョニングデータをプロビジョニングデータ記憶部４１６に記憶させる。プロビジョニングデータ記憶部４１６は、無線装置４１０や対向無線装置のプロビジョニングデータを記憶する。
【００６９】
図１−１，図１−２に示した第１記憶部１１１は、たとえばプロビジョニングデータ記憶部４１６によって実現することができる。図１−１，図１−２に示した設定部１１２は、たとえば監視制御部４１５によって実現することができる。図１−１，図１−２に示した通信部１１３は、たとえばインターフェース部４１１、無線部４１２、スイッチ部４１３、オーバーヘッド挿入／分離部４１４および監視制御部４１５によって実現することができる。
【００７０】
図４−３は、無線装置のハードウェア構成の一例を示す図である。図４−１，図４−２に示した無線装置４１０は、たとえば図４−３に示す無線装置４３０によって実現することができる。無線装置４３０は、ＰＨＹ４３１と、ＲＦ４３２と、Ｌ２ＳＷ４３３と、ＦＰＧＡ４３４と、ＣＰＵ４３５と、メモリ４３６と、を備える。
【００７１】
図４−１，図４−２に示したインターフェース部４１１は、たとえばＰＨＹ４３１によって実現することができる。ＰＨＹ４３１は、物理層の処理を行う回路である。図４−１，図４−２に示した無線部４１２は、たとえばＲＦ４３２によって実現することができる。ＲＦ４３２は、ＲＦ（Ｒａｄｉｏ  Ｆｒｅｑｕｅｎｃｙ：高周波）帯の無線信号を処理する回路である。
【００７２】
図４−１，図４−２に示したスイッチ部４１３は、たとえばＬ２ＳＷ４３３によって実現することができる。Ｌ２ＳＷ４３３は、レイヤ２のスイッチングを行うスイッチである。図４−１，図４−２に示したオーバーヘッド挿入／分離部４１４は、たとえばＦＰＧＡ４３４（Ｆｉｅｌｄ  Ｐｒｏｇｒａｍｍａｂｌｅ  Ｇａｔｅ  Ａｒｒａｙ）によって実現することができる。
【００７３】
図４−１，図４−２に示した監視制御部４１５は、たとえばＣＰＵ４３５（Ｃｅｎｔｒａｌ  Ｐｒｏｃｅｓｓｉｎｇ  Ｕｎｉｔ：中央処理装置）によって実現することができる。図４−１，図４−２に示したプロビジョニングデータ記憶部４１６は、たとえばメモリ４３６によって実現することができる。
【００７４】
（無線装置の処理）
図５は、無線装置の処理の一例を示すフローチャートである。無線装置４１０は、たとえば起動時に、監視制御部４１５の制御によって以下の各ステップを実行する。図５において、無線装置４１０が無線装置２１１である場合は無線装置２２１を対向無線装置と称し、無線装置４１０が無線装置２２１である場合は無線装置２１１を対向無線装置と称する（以降のフローチャートにおいても同様）。
【００７５】
まず、無線装置４１０は、装置起動時フローを実行する（ステップＳ５０１）。ステップＳ５０１の装置起動時フローについては後述する（図６参照）。つぎに、無線装置４１０は、一定時間を計時する同期タイマを起動する（ステップＳ５０２）。つぎに、無線装置４１０は、ステップＳ５０２によって起動した同期タイマが満了したか否かを判断する（ステップＳ５０３）。
【００７６】
ステップＳ５０３において、同期タイマが満了していない場合（ステップＳ５０３：Ｎｏ）は、無線装置４１０は、ステップＳ５０５へ移行する。同期タイマが満了した場合（ステップＳ５０３：Ｙｅｓ）は、無線装置４１０は、プロビジョニングデータ同期（送信）フローを実行する（ステップＳ５０４）。このとき、無線装置４１０は、同期タイマを再起動する。ステップＳ５０４のプロビジョニングデータ同期（送信）フローについては後述する（図７参照）。
【００７７】
つぎに、無線装置４１０は、対向無線装置からプロビジョニングデータを受信したか否かを判断する（ステップＳ５０５）。プロビジョニングデータを受信していない場合（ステップＳ５０５：Ｎｏ）は、無線装置４１０は、ステップＳ５０７へ移行する。プロビジョニングデータを受信した場合（ステップＳ５０５：Ｙｅｓ）は、無線装置４１０は、プロビジョニングデータ同期（受信）フローを実行する（ステップＳ５０６）。ステップＳ５０６のプロビジョニングデータ同期（受信）フローについては後述する（図８参照）。
【００７８】
つぎに、無線装置４１０は、対向無線装置からデフォルト起動フラグを受信したか否かを判断する（ステップＳ５０７）。デフォルト起動フラグを受信していない場合（ステップＳ５０７：Ｎｏ）は、無線装置４１０は、ステップＳ５０３へ戻る。デフォルト起動フラグを受信した場合（ステップＳ５０７：Ｙｅｓ）は、無線装置４１０は、プロビジョニングデータ送信フローを実行し（ステップＳ５０８）、ステップＳ５０３へ戻る。ステップＳ５０８のプロビジョニングデータ送信フローについては後述する（図９参照）。
【００７９】
以上の各ステップにより、定期的にプロビジョニングデータ同期（送信）フロー（図７参照）を実行することができる。また、対向無線装置からプロビジョニングデータを受信した場合はプロビジョニングデータ同期（受信）フロー（図８参照）を実行することができる。また、対向無線装置からデフォルト起動フラグを受信した場合はプロビジョニングデータ送信フロー（図９参照）を実行することができる。
【００８０】
図６は、図５に示した装置起動時フローの一例を示すフローチャートである。図５に示したステップＳ５０１の装置起動時フローとして、無線装置４１０はたとえば以下の各ステップを実行する。まず、無線装置４１０は、自装置が記憶しているプロビジョニングデータを読み出す（ステップＳ６０１）。
【００８１】
つぎに、無線装置４１０は、ステップＳ６０１によって読み出したプロビジョニングデータが初期値であるか否かを判断する（ステップＳ６０２）。たとえば、無線装置４１０は、プロビジョニングデータの初期値を記憶しており、読み出したプロビジョニングデータと初期値を比較することによって判断する。
【００８２】
ステップＳ６０２において、読み出したプロビジョニングデータが初期値である場合（ステップＳ６０２：Ｙｅｓ）は、無線装置４１０は、ライン側ポートを切断する（ステップＳ６０３）。たとえば、無線装置４１０は、インターフェース部４１１による通信を遮断する。つぎに、無線装置４１０は、対向無線装置へデフォルト起動フラグを送信する（ステップＳ６０４）。
【００８３】
つぎに、無線装置４１０は、対向無線装置からプロビジョニングデータを受信したか否かを判断する（ステップＳ６０５）。プロビジョニングデータを受信した場合（ステップＳ６０５：Ｙｅｓ）は、無線装置４１０は、受信したプロビジョニングデータが壊れているか否かを判断する（ステップＳ６０６）。受信したプロビジョニングデータが壊れていない場合（ステップＳ６０６：Ｎｏ）は、無線装置４１０は、受信したプロビジョニングデータを記憶する（ステップＳ６０７）。
【００８４】
つぎに、無線装置４１０は、対向無線装置へ、プロビジョニングデータを受信したことを示す受信通知を送信する（ステップＳ６０８）。つぎに、無線装置４１０は、自装置の不揮発メモリ（たとえばメモリ４３６）にプロビジョニングデータ受信フラグを設定する（ステップＳ６０９）。つぎに、無線装置４１０は、ステップＳ６０７によって記憶したプロビジョニングデータを利用して再起動し（ステップＳ６１０）、ステップＳ６０１へ戻る。
【００８５】
ステップＳ６０５においてプロビジョニングデータを受信していない場合（ステップＳ６０５：Ｎｏ）またはステップＳ６０６においてプロビジョニングデータが壊れている場合（ステップＳ６０６：Ｙｅｓ）は、無線装置４１０はステップＳ６１１へ移行する。すなわち、無線装置４１０は、再送要求カウンタが満了したか否かを判断する（ステップＳ６１１）。再送要求カウンタは、たとえば、ステップＳ６１１を実行するごとにカウントアップされるカウンタである。たとえば、無線装置４１０は、再送要求カウンタのカウント値が所定値に達した場合に再送要求カウンタが満了したと判断する。
【００８６】
ステップＳ６１１において、再送要求カウンタが満了していない場合（ステップＳ６１１：Ｎｏ）は、無線装置４１０は、対向無線装置へプロビジョニングデータの再送要求を送信し（ステップＳ６１２）、ステップＳ６０５へ戻る。再送要求カウンタが満了した場合（ステップＳ６１１：Ｙｅｓ）は、無線装置４１０は、ライン側ポートを接続し（ステップＳ６１３）、装置起動時フローの一連の処理を終了する。ステップＳ６１３において、たとえば、無線装置４１０は、ステップＳ６０３において切断したインターフェース部４１１による通信を疎通させる。
【００８７】
ステップＳ６０２において、読み出したプロビジョニングデータが初期値でない場合（ステップＳ６０２：Ｎｏ）は、無線装置４１０は、ステップＳ６０９によってプロビジョニングデータ受信フラグが設定されているか否かを判断する（ステップＳ６１４）。プロビジョニングデータ受信フラグが設定されていない場合（ステップＳ６１４：Ｎｏ）は、無線装置４１０は、装置起動時フローの一連の処理を終了する。
【００８８】
ステップＳ６１４において、プロビジョニングデータ受信フラグが設定されている場合（ステップＳ６１４：Ｙｅｓ）は、無線装置４１０は、プロビジョニングデータ受信フラグを削除する（ステップＳ６１５）。
【００８９】
つぎに、無線装置４１０は、対向無線装置から接続確認信号を受信したか否かを判断する（ステップＳ６１６）。接続確認信号を受信した場合（ステップＳ６１６：Ｙｅｓ）は、無線装置４１０は、対向無線装置へ接続成功通知を送信する（ステップＳ６１７）。つぎに、ライン側ポートを接続し（ステップＳ６１８）、装置起動時フローの一連の処理を終了する。
【００９０】
ステップＳ６１６において、接続確認信号を受信していない場合（ステップＳ６１６：Ｎｏ）は、無線装置４１０は、接続確認待ちカウンタが満了したか否かを判断する（ステップＳ６１９）。接続確認待ちカウンタは、ステップＳ６１９を実行するごとにカウントアップされるカウンタである。たとえば、無線装置４１０は、接続確認待ちカウンタのカウント値が所定値に達した場合に接続確認待ちカウンタが満了したと判断する。
【００９１】
ステップＳ６１９において、接続確認待ちカウンタが満了していない場合（ステップＳ６１９：Ｎｏ）は、無線装置４１０は、ステップＳ６１６へ移行する。接続確認待ちカウンタが満了した場合（ステップＳ６１９：Ｙｅｓ）は、無線装置４１０は、デフォルト設定へ移行し（ステップＳ６２０）、装置起動時フローの一連の処理を終了する。
【００９２】
以上の各ステップにより、記憶されているプロビジョニングデータが初期値である場合に、ライン側ポートを切断し、対向無線装置からプロビジョニングデータを受信して再起動することができる。また、記憶されているプロビジョニングデータが初期値でない場合は、ライン側ポートを接続して通信を行うことができる。
【００９３】
図７は、図５に示したプロビジョニングデータ同期（送信）フローの一例を示すフローチャートである。図５に示したステップＳ５０４のプロビジョニングデータ同期（送信）フローとして、無線装置４１０はたとえば以下の各ステップを実行する。まず、無線装置４１０は、自装置が記憶する、自装置のプロビジョニングデータを読み出す（ステップＳ７０１）。
【００９４】
つぎに、無線装置４１０は、ステップＳ７０１によって読み出したプロビジョニングデータを対向無線装置へ送信し（ステップＳ７０２）、プロビジョニングデータ同期（送信）フローの一連の処理を終了する。
【００９５】
図８は、図５に示したプロビジョニングデータ同期（受信）フローの一例を示すフローチャートである。図５に示したステップＳ５０６のプロビジョニングデータ同期（受信）フローとして、無線装置４１０はたとえば以下の各ステップを実行する。無線装置４１０は、図５に示したステップＳ５０５において受信したプロビジョニングデータを記憶し（ステップＳ８０１）、プロビジョニングデータ同期（受信）フローの一連の処理を終了する。
【００９６】
図９は、図５に示したプロビジョニングデータ送信フローの一例を示すフローチャートである。図５に示したステップＳ５０８のプロビジョニングデータ送信フローとして、無線装置４１０はたとえば以下の各ステップを実行する。まず、無線装置４１０は、ライン側ポートを切断し、ＩＰアドレスを変更することによってプロビジョニングデータ送信モードへ移行する（ステップＳ９０１）。ステップＳ９０１において、無線装置４１０は、たとえばＩＰアドレスを工場出荷デフォルトプロビジョニングデータに基づく所定のＩＰアドレス（たとえば「１９２．１６８．ＸＸＸ．ＸＸ１」）に設定する。
【００９７】
つぎに、無線装置４１０は、対向無線装置のプロビジョニングデータを読み出して対向無線装置へ送信する（ステップＳ９０２）。つぎに、無線装置４１０は、対向無線装置から再送要求を受信したか否かを判断する（ステップＳ９０３）。再送要求を受信した場合（ステップＳ９０３：Ｙｅｓ）は、無線装置４１０は、ステップＳ９０２へ戻る。
【００９８】
ステップＳ９０３において、再送要求を受信していない場合（ステップＳ９０３：Ｎｏ）は、無線装置４１０は、対向無線装置から受信通知を受信したか否かを判断する（ステップＳ９０４）。受信通知を受信していない場合（ステップＳ９０４：Ｎｏ）は、無線装置４１０は、受信通知待ちタイマが満了したか否かを判断する（ステップＳ９０５）。受信通知待ちタイマは、たとえばステップＳ９０５が実行されるごとにカウントアップされるカウンタである。たとえば、無線装置４１０は、受信通知待ちタイマのカウント値が所定値に達した場合に受信通知待ちタイマが満了したと判断する。
【００９９】
ステップＳ９０５において、受信通知待ちタイマが満了していない場合（ステップＳ９０５：Ｎｏ）は、無線装置４１０は、ステップＳ９０３へ戻る。受信通知待ちタイマが満了した場合（ステップＳ９０５：Ｙｅｓ）は、無線装置４１０は、送信失敗通知を対向無線装置へ送信し（ステップＳ９０６）、プロビジョニングデータ送信フローの一連の処理を終了する。このとき、無線装置４１０は、ステップＳ９０１において断にしたライン側ポートを接続し、ステップＳ９０１において変更したＩＰアドレスを元に戻す。
【０１００】
ステップＳ９０４において、受信通知を受信した場合（ステップＳ９０４：Ｙｅｓ）は、無線装置４１０は、接続確認信号を対向無線装置へ送信する（ステップＳ９０７）。つぎに、無線装置４１０は、対向無線装置から接続成功通知を受信したか否かを判断する（ステップＳ９０８）。接続成功通知を受信した場合（ステップＳ９０８：Ｙｅｓ）は、無線装置４１０は、ライン側ポートを接続し（ステップＳ９０９）、プロビジョニングデータ送信フローの一連の処理を終了する。このとき、無線装置４１０は、ステップＳ９０１において変更したＩＰアドレスを元に戻す。
【０１０１】
ステップＳ９０８において、接続成功通知を受信していない場合（ステップＳ９０８：Ｎｏ）は、無線装置４１０は、受信待ちタイマが満了したか否かを判断する（ステップＳ９１０）。受信待ちタイマは、たとえばステップＳ９１０が実行されるごとにカウントアップされるカウンタである。たとえば、無線装置４１０は、受信待ちタイマのカウント値が所定値に達した場合に受信待ちタイマが満了したと判断する。受信待ちタイマが満了していない場合（ステップＳ９１０：Ｎｏ）は、無線装置４１０は、ステップＳ９０７へ戻る。
【０１０２】
ステップＳ９１０において、受信待ちタイマが満了した場合（ステップＳ９１０：Ｙｅｓ）は、無線装置４１０は、ライン側ポートを接続する（ステップＳ９１１）。また、無線装置４１０は、設定失敗の可能性をユーザに通知し（ステップＳ９１２）、プロビジョニングデータ送信フローの一連の処理を終了する。このとき、無線装置４１０は、ステップＳ９０１において変更したＩＰアドレスを元に戻す。
【０１０３】
以上の各ステップにより、ライン側ポートを切断した状態で対向無線装置のプロビジョニングデータを対向無線装置へ送信し、送信後にライン側ポートを接続して通信を再開することができる。
【０１０４】
（通信システムの処理）
図１０は、通信システムによるプロビジョニングデータの受け渡し処理の一例を示すシーケンス図である。図１０において、無線装置２１１（＃Ａ）の無線部４１２、スイッチ部４１３、オーバーヘッド挿入／分離部４１４、監視制御部４１５、プロビジョニングデータ記憶部４１６をそれぞれ無線部４１２ａ、スイッチ部４１３ａ、オーバーヘッド挿入／分離部４１４ａ、監視制御部４１５ａ、プロビジョニングデータ記憶部４１６ａとする。また、無線装置２２１（＃Ｂ）の無線部４１２、スイッチ部４１３、オーバーヘッド挿入／分離部４１４、監視制御部４１５、プロビジョニングデータ記憶部４１６をそれぞれ無線部４１２ｂ、スイッチ部４１３ｂ、オーバーヘッド挿入／分離部４１４ｂ、監視制御部４１５ｂ、プロビジョニングデータ記憶部４１６ｂとする。以降のシーケンス図でも同様である。
【０１０５】
無線装置２１１および無線装置２２１は、たとえば通常運用時に以下の各ステップを実行する。まず、無線装置２１１の監視制御部４１５ａにおいて、同期タイマが満了したとする（ステップＳ１００１）。この場合に、監視制御部４１５ａは、プロビジョニングデータ記憶部４１６ａから無線装置２１１のプロビジョニングデータ（＃Ａ）を読み出す（ステップＳ１００２）。
【０１０６】
つぎに、監視制御部４１５ａは、ステップＳ１００２によって読み出したプロビジョニングデータ（＃Ａ）を無線部４１２ａへ出力する（ステップＳ１００３）。つぎに、無線部４１２ａは、ステップＳ１００３によって出力されたプロビジョニングデータ（＃Ａ）を無線装置２２１へ無線送信する（ステップＳ１００４）。
【０１０７】
つぎに、無線装置２２１の無線部４１２ｂが、ステップＳ１００４によって無線送信されたプロビジョニングデータ（＃Ａ）を受信して監視制御部４１５ｂへ出力する（ステップＳ１００５）。つぎに、監視制御部４１５ｂが、ステップＳ１００５によって出力されたプロビジョニングデータ（＃Ａ）をプロビジョニングデータ記憶部４１６ｂに記憶し（ステップＳ１００６）、プロビジョニングデータの受け渡し処理を終了する。
【０１０８】
このように、無線装置２１１は、通常運用時に無線回線に設けた監視制御回線を利用してプロビジョニングデータ（＃Ａ）を無線装置２２１（対向局）に送信する。無線装置２２１は、無線装置２１１から送られてきたプロビジョニングデータ（＃Ａ）を装置内のプロビジョニングデータ記憶部４１６ｂにバックアップデータとして記憶する。
【０１０９】
また、無線装置２１１のプロビジョニングデータ（＃Ａ）が無線装置２２１へ送信されて無線装置２２１に記憶される場合について説明したが、無線装置２２１のプロビジョニングデータ（＃Ｂ）も無線装置２１１へ送信されて無線装置２１１に記憶される。
【０１１０】
図１１は、通信システムによる設定処理の一例を示すシーケンス図（その１）である。図１２は、通信システムによる設定処理の一例を示すシーケンス図（その２）である。図１０に示したプロビジョニングデータの受け渡し処理の後に、図１１に示すように、無線装置２１１の装置交換が行われ、新しい無線装置２１１が起動したとする。この場合は、無線装置２１１および無線装置２２１は、たとえば以下の各ステップを実行する。
【０１１１】
まず、起動した無線装置２１１の監視制御部４１５ａが、プロビジョニングデータ記憶部４１６ａから無線装置２１１のプロビジョニングデータ（＃Ａ）を読み出す（ステップＳ１１０１）。つぎに、監視制御部４１５ａが、ステップＳ１１０１によって読み出したプロビジョニングデータ（＃Ａ）が工場出荷時の初期値であると判断したとする（ステップＳ１１０２）。この場合は、監視制御部４１５ａは、スイッチ部４１３ａに対してライン断指示を出力する（ステップＳ１１０３）。これにより、無線装置２１１のライン側ポートが切断される。
【０１１２】
つぎに、監視制御部４１５ａが、デフォルト起動フラグをオーバーヘッド挿入／分離部４１４ａへ出力する（ステップＳ１１０４）。つぎに、オーバーヘッド挿入／分離部４１４ａが、ステップＳ１１０４によって出力されたデフォルト起動フラグを、無線装置２２１への送信信号のオーバーヘッドに挿入する（ステップＳ１１０５）。
【０１１３】
つぎに、オーバーヘッド挿入／分離部４１４ａが、ステップＳ１１０５によってオーバーヘッドにデフォルト起動フラグを挿入した送信信号を無線部４１２ａへ出力する（ステップＳ１１０６）。つぎに、無線部４１２ａが、ステップＳ１１０６によって出力された送信信号を無線装置２２１へ無線送信する（ステップＳ１１０７）。
【０１１４】
つぎに、無線装置２２１の無線部４１２ｂが、ステップＳ１１０７によって無線送信された送信信号を受信してオーバーヘッド挿入／分離部４１４ｂへ出力する（ステップＳ１１０８）。つぎに、オーバーヘッド挿入／分離部４１４ｂが、ステップＳ１１０８によって出力された送信信号からデフォルト起動フラグを分離する（ステップＳ１１０９）。
【０１１５】
つぎに、オーバーヘッド挿入／分離部４１４ｂが、ステップＳ１１０９によって分離したデフォルト起動フラグを監視制御部４１５ｂへ出力する（ステップＳ１１１０）。つぎに、監視制御部４１５ｂが、ライン断指示をスイッチ部４１３ｂへ出力する（ステップＳ１１１１）。これにより、無線装置２２１のライン側ポートが切断される。
【０１１６】
また、監視制御部４１５ｂが、ＩＰ変更指示をスイッチ部４１３ｂへ出力する（ステップＳ１１１２）。これにより、無線装置２２１のＩＰアドレスが、工場出荷デフォルトプロビジョニングデータに基づく所定のＩＰアドレス（たとえば「１９２．１６８．ＸＸＸ．ＸＸ２」）に設定される。ステップＳ１１１２によって設定されるＩＰアドレスは、工場出荷時のネットワークパラメータを持つ無線装置２１１とネットワーク接続可能なアドレスである。
【０１１７】
つぎに、無線装置２１１，２２１は、図１２のステップＳ１２０１へ移行する。すなわち、無線装置２２１の監視制御部４１５ｂが、無線装置２１１のプロビジョニングデータ（＃Ａ）をプロビジョニングデータ記憶部４１６ｂから読み出す（ステップＳ１２０１）。つぎに、監視制御部４１５ｂが、ステップＳ１２０１によって読み出したプロビジョニングデータ（＃Ａ）を無線部４１２ｂへ出力する（ステップＳ１２０２）。つぎに、無線部４１２ｂが、ステップＳ１２０２によって出力されたプロビジョニングデータ（＃Ａ）を無線装置２１１へ無線送信する（ステップＳ１２０３）。
【０１１８】
つぎに、無線装置２１１の無線部４１２ａが、ステップＳ１２０３によって無線送信されたプロビジョニングデータ（＃Ａ）を受信して監視制御部４１５ａへ出力する（ステップＳ１２０４）。つぎに、監視制御部４１５ａが、ステップＳ１２０４によって出力されたプロビジョニングデータ（＃Ａ）をプロビジョニングデータ記憶部４１６ａへ記憶する（ステップＳ１２０５）。
【０１１９】
つぎに、監視制御部４１５ａが、無線部４１２ａへ受信通知を出力する（ステップＳ１２０６）。つぎに、無線部４１２ａが、ステップＳ１２０６によって出力された受信通知を無線装置２２１へ無線送信する（ステップＳ１２０７）。
【０１２０】
つぎに、無線装置２２１の無線部４１２ｂが、ステップＳ１２０７によって無線送信された受信通知を監視制御部４１５ｂへ出力する（ステップＳ１２０８）。つぎに、監視制御部４１５ｂが、無線装置２２１のプロビジョニングデータ（＃Ｂ）をプロビジョニングデータ記憶部４１６ｂから読み出す（ステップＳ１２０９）。これにより、ネットワークパラメータが元の状態に戻り、プロビジョニングデータ送信モードが解除される。
【０１２１】
また、無線装置２１１の監視制御部４１５ａは、プロビジョニングデータ受信フラグを設定して無線装置２１１を再起動する。そして、無線装置２１１の監視制御部４１５ａが、無線装置２１１のプロビジョニングデータ（＃Ａ）をプロビジョニングデータ記憶部４１６ａから読み出す（ステップＳ１２１０）。
【０１２２】
つぎに、無線装置２２１の監視制御部４１５ｂが、接続確認信号を無線部４１２ｂへ出力する（ステップＳ１２１１）。つぎに、無線部４１２ｂが、ステップＳ１２１１によって出力された接続確認信号を無線装置２１１へ無線送信する（ステップＳ１２１２）。
【０１２３】
つぎに、無線装置２１１の無線部４１２ａが、ステップＳ１２１２によって無線送信された接続確認信号を受信して監視制御部４１５ａへ出力する（ステップＳ１２１３）。つぎに、監視制御部４１５ａが、接続成功通知を無線部４１２ａへ出力する（ステップＳ１２１４）。つぎに、無線部４１２ａが、ステップＳ１２１４によって出力された接続成功通知を無線装置２２１へ無線送信する（ステップＳ１２１５）。
【０１２４】
つぎに、無線装置２２１の無線部４１２ｂが、ステップＳ１２１５によって無線送信された接続成功通知を受信して監視制御部４１５ｂへ出力する（ステップＳ１２１６）。また、無線装置２１１の監視制御部４１５ａが、ライン入指示をスイッチ部４１３ａへ出力する（ステップＳ１２１７）。これにより、無線装置２１１のライン側ポートが接続される。また、無線装置２２１の監視制御部４１５ｂが、ライン入指示をスイッチ部４１３ｂへ出力する（ステップＳ１２１８）。これにより、無線装置２２１のライン側ポートが接続される。
【０１２５】
（通信システムによる異常時の処理）
無線通信は有線通信に比べて回線が不安定であるため、プロビジョニングの設定においてもパケットロスなどを考慮してもよい。
【０１２６】
図１３は、通信システムによる異常時の処理例１を示すシーケンス図である。図１２に示した各ステップの途中において異常が発生した場合について説明する。図１１に示した各ステップが実行された後に、まず、無線装置２２１の監視制御部４１５ｂが、無線装置２１１のプロビジョニングデータ（＃Ａ）をプロビジョニングデータ記憶部４１６ｂから読み出す（ステップＳ１３０１）。
【０１２７】
つぎに、監視制御部４１５ｂが、ステップＳ１３０１によって読み出したプロビジョニングデータ（＃Ａ）を無線部４１２ｂへ出力する（ステップＳ１３０２）。つぎに、無線部４１２ｂが、ステップＳ１３０２によって出力されたプロビジョニングデータ（＃Ａ）を無線装置２１１へ無線送信する（ステップＳ１３０３）。このとき、無線装置２２１から送信されたプロビジョニングデータ（＃Ａ）が正常に無線装置２１１に受信されなかったとする。
【０１２８】
この場合は、無線装置２１１の監視制御部４１５ａが、再送要求を無線部４１２ａへ出力する（ステップＳ１３０４）。つぎに、無線部４１２ａが、ステップＳ１３０４によって出力された再送要求を無線装置２２１へ無線送信する（ステップＳ１３０５）。
【０１２９】
つぎに、無線装置２２１の無線部４１２ｂが、ステップＳ１３０５によって無線送信された再送要求を監視制御部４１５ｂへ出力する（ステップＳ１３０６）。つぎに、監視制御部４１５ｂが、無線装置２１１のプロビジョニングデータ（＃Ａ）をプロビジョニングデータ記憶部４１６ｂから再度読み出す（ステップＳ１３０７）。
【０１３０】
つぎに、監視制御部４１５ｂが、ステップＳ１３０７によって読み出したプロビジョニングデータ（＃Ａ）を無線部４１２ｂへ出力する（ステップＳ１３０８）。つぎに、無線部４１２ｂが、ステップＳ１３０８によって出力されたプロビジョニングデータ（＃Ａ）を無線装置２１１へ無線送信する（ステップＳ１３０９）。
【０１３１】
これにより、無線装置２２１から送信されたプロビジョニングデータ（＃Ａ）が正常に無線装置２１１に受信されたとする。図１３に示すステップＳ１３１０〜Ｓ１３２４は、図１２に示したステップＳ１２０４〜Ｓ１２１８と同様である。
【０１３２】
図１４は、通信システムによる異常時の処理例２を示すシーケンス図である。図１２に示した各ステップの途中において異常が発生した場合について説明する。図１４に示すステップＳ１４０１〜Ｓ１４０５は、図１３に示したステップＳ１３０１〜Ｓ１３０５と同様である。ただし、ステップＳ１４０５によって無線送信された再送要求が無線装置２２１に正常に受信されなかったとする。
【０１３３】
ここで、無線装置２２１において受信通知待ちタイマが満了したとする（ステップＳ１４０６）。この場合は、無線装置２２１の監視制御部４１５ｂは、ライン入指示をスイッチ部４１３ｂへ出力する（ステップＳ１４０７）。これにより、無線装置２２１のライン側ポートが接続される。また、監視制御部４１５ｂは、設定失敗の可能性をユーザへ通知し（ステップＳ１４０８）、一連の処理を終了する。
【０１３４】
以上説明したように、設定方法、通信システムおよび通信装置によれば、交換した無線装置の設定を自動的に行うことができる。
【０１３５】
上述した実施の形態に関し、さらに以下の付記を開示する。
【０１３６】
（付記１）第１通信装置が、
自装置の第１記憶部に記憶された設定情報に基づいて第２通信装置と通信を行い、
前記設定情報を前記第２通信装置へ送信し、
前記第２通信装置が、
前記第１通信装置によって送信された設定情報を第２記憶部に記憶し、
前記第１通信装置の装置を交換した後の前記第１通信装置が、
前記第２記憶部に記憶された設定情報を前記第２通信装置から受信し、
受信した前記設定情報を前記交換後の前記第１通信装置の前記第１記憶部に記憶する、
ことを特徴とする設定方法。
【０１３７】
（付記２）第１通信装置は、
前記第１記憶部に記憶された初期値を、自装置へ入力された設定情報に書き換え、
自装置の起動時に前記第１記憶部に前記初期値が記憶されていた場合に、前記第２記憶部に記憶された設定情報を前記第２通信装置から受信し、
前記第１記憶部に記憶された前記初期値を、受信した前記設定情報に書き換える、
ことを特徴とする付記１に記載の設定方法。
【０１３８】
（付記３）前記第１通信装置は、前記第２通信装置と異なる第３通信装置に接続され、前記第１記憶部に記憶された設定情報に基づいて前記第２通信装置および前記第３通信装置と通信を行い、
前記第２通信装置は、前記第１通信装置と異なる第４通信装置に接続され、前記第１通信装置および前記第４通信装置と通信を行い、
前記第１通信装置は、自装置の起動時に前記第１記憶部に前記初期値が記憶されていた場合に、前記初期値に基づくアドレスを自装置に設定して前記第２通信装置へ要求信号を送信し、
前記第２通信装置は、前記第１通信装置によって送信された要求信号を受信すると、前記初期値に基づくアドレスが設定された前記第１通信装置と通信可能なアドレスを自装置に設定し、前記第２記憶部に記憶された設定情報を前記第１通信装置へ送信する、
ことを特徴とする付記２に記載の設定方法。
【０１３９】
（付記４）前記第１通信装置は、前記初期値に基づくアドレスを自装置に設定する場合に前記第３通信装置との通信経路を切断することを特徴とする付記３に記載の設定方法。
【０１４０】
（付記５）前記第１通信装置は、前記第１記憶部に記憶された前記初期値を前記受信した設定情報に書き換えた後に、前記第１記憶部に記憶された設定情報に基づくアドレスを自装置に設定し、前記第３通信装置との通信経路を接続することを特徴とする付記４に記載の設定方法。
【０１４１】
（付記６）前記第２通信装置は、前記初期値に基づくアドレスが設定された前記第１通信装置と通信可能なアドレスを自装置に設定する場合に前記第４通信装置との通信経路を切断することを特徴とする付記３〜５のいずれか一つに記載の設定方法。
【０１４２】
（付記７）前記第２通信装置は、前記第４通信装置との通信経路を切断して前記設定情報を送信した後に、前記第４通信装置と通信可能なアドレスを自装置に設定し、前記第４通信装置との通信経路を接続することを特徴とする付記６に記載の設定方法。
【０１４３】
（付記８）第２通信装置が、
自装置の第３記憶部に記憶された設定情報に基づいて前記第１通信装置と通信を行い、
前記設定情報を前記第１通信装置へ送信し、
前記第１通信装置が、
前記第２通信装置によって送信された設定情報を第４記憶部に記憶し、
前記第２通信装置の装置を交換した後の前記第２通信装置が、
前記第４記憶部に記憶された設定情報を前記第１通信装置から受信し、
受信した前記設定情報を前記第３記憶部に記憶する、
ことを特徴とする付記１〜７のいずれか一つに記載の設定方法。
【０１４４】
（付記９）自装置の第１記憶部に記憶された設定情報に基づいて第２通信装置と通信を行い、前記設定情報を前記第２通信装置へ送信する第１通信装置と、
前記第１通信装置によって送信された設定情報を第２記憶部に記憶する第２通信装置と、
を含み、前記第１通信装置の装置を交換した後の前記第１通信装置は、前記第２記憶部に記憶された設定情報を前記第２通信装置から受信し、受信した前記設定情報を前記交換後の前記第１通信装置の前記第１記憶部に記憶する、
ことを特徴とする通信システム。
【０１４５】
（付記１０）第１記憶部と、
前記第１記憶部に設定情報を設定する設定部と、
前記第１記憶部に記憶された設定情報に基づいて、所定の通信装置と無線による通信を行うとともに、前記設定情報を前記所定の通信装置へ送信して第２記憶部に記憶させる通信部と、
を備え、
自装置の装置を交換した場合に、
交換後の前記通信部は、前記第２記憶部に記憶された設定情報を前記所定の通信装置から受信し、
交換後の前記設定部は、前記通信部によって受信された設定情報を、前記交換後の前記第１記憶部に記憶する、
ことを特徴とする通信装置。
【符号の説明】
【０１４６】
１００，２００  通信システム
１０１  第３通信装置
１０２  第４通信装置
１１０  第１通信装置
１１１  第１記憶部
１１２  設定部
１１３，１２１  通信部
１２０  第２通信装置
１２２  第２記憶部
２１１，２２１，４１０，４３０  無線装置
２１２，２２２  ネットワーク
３００  プロビジョニングデータ
４１１  インターフェース部
４１２，４１２ａ，４１２ｂ  無線部
４１３，４１３ａ，４１３ｂ  スイッチ部
４１４，４１４ａ，４１４ｂ  オーバーヘッド挿入／分離部
４１５，４１５ａ，４１５ｂ  監視制御部
４１６，４１６ａ，４１６ｂ  プロビジョニングデータ記憶部
４３１  ＰＨＹ
４３２  ＲＦ
４３３  Ｌ２ＳＷ
４３４  ＦＰＧＡ
４３５  ＣＰＵ
４３６  メモリ
【図１−１】
2014143500.tif 000003
【図１−２】
2014143500.tif 000004
【図２−１】
2014143500.tif 000005
【図２−２】
2014143500.tif 000006
【図２−３】
2014143500.tif 000007
【図２−４】
2014143500.tif 000008
【図２−５】
2014143500.tif 000009
【図２−６】
2014143500.tif 000010
【図２−７】
2014143500.tif 000011
【図２−８】
2014143500.tif 000012
【図３】
2014143500.tif 000013
【図４−１】
2014143500.tif 000014
【図４−２】
2014143500.tif 000015
【図４−３】
2014143500.tif 000016
【図５】
2014143500.tif 000017
【図６】
2014143500.tif 000018
【図７】
2014143500.tif 000019
【図８】
2014143500.tif 000020
【図９】
2014143500.tif 000021
【図１０】
2014143500.tif 000022
【図１１】
2014143500.tif 000023
【図１２】
2014143500.tif 000024
【図１３】
2014143500.tif 000025
【図１４】
2014143500.tif 000026